(57)【要約】【課題】髪の毛に対する染毛を円滑に進める。【解決手段】染毛器具は、可撓性を有し染毛料を収容した容器部Ａと、容器部Ａに収容された染毛料を注出して髪の毛に塗布する塗布部Ｂと、塗布部Ｂを振動させる振動発生部材Ｄを収容した振動部Ｃと、を有し、塗布部Ｂと振動部Ｃが一体的に形成されてキャップ部材１０とし、且つ容器部Ａに対し装着し得るように構成される。振動発生部材Ｄは、電池１５と、モーター１６と、モーター軸１６ａに取り付けた偏心部材１７と、スイッチ１８とを有して構成される。また、キャップ部材１０が塗布部Ｂと振動部Ｃが一体的に形成されると共に雌ねじ５が形成され、且つ容器部Ａが雌ねじ５に締結される雄ねじ３を形成したレフィル容器（容器本体１）として形成される。【選択図】    図２
2008110146.tif 000002
【特許請求の範囲】
【請求項１】
可撓性を有し染毛料を収容した容器部と、前記容器部に収容された染毛料を注出して髪の毛に塗布する塗布部と、前記塗布部を振動させる振動発生部材を収容した振動部と、を有し、前記塗布部と振動部が一体的に形成されると共に容器部に対し装着し得るように構成されていることを特徴とする染毛器具。
【請求項２】
前記振動発生部材が、電池と、モーターと、モーター軸に取り付けた偏心部材と、モーターに対する通電を制御するスイッチと、を有して構成されたものであることを特徴とする請求項１に記載した染毛器具。
【請求項３】
前記塗布部と振動部が一体的に形成されると共にねじ部が形成され、且つ容器部が前記ねじ部に締結されるねじを形成したレフィル容器として形成されていることを特徴とする請求項１又は２に記載した染毛器具。
【発明の詳細な説明】
【技術分野】
【０００１】
本発明は、櫛歯状の塗布部を振動させながら該塗布部から注出した染毛料を髪の毛に塗布することができる染毛器具に関するものである。
【背景技術】
【０００２】
髪の毛を染色する際に利用する器具としては、内部に連通孔を有する櫛歯をキャップと一体的に形成してキャップ体とし、このキャップ体を染毛料を収容した容器本体に装着しておき、容器本体側に収容された染毛料を櫛歯に形成した開口孔から注出させるように構成したものがある（例えば特許文献１参照）。この技術では、容器本体を変形させて収容された染毛料を櫛歯から注出させつつ、櫛歯によって髪の毛を梳かすことで染毛することができる。
【０００３】
また、特許文献２に記載された発明は電動式マッサージ器一体型養毛用器具に関するものであり、養毛剤を収容するエアゾール容器の底部に振動を起こすモーターを備えて構成され、ノズル部分にマッサージ用突起付きアクチュエータを取り付けておき、モーターを駆動することによって該アクチュエータを振動させるように構成されている。この技術ではアクチュエータを頭皮に押し当てた状態でモーターを駆動すると共にエアゾール容器から養毛剤を噴射させることで、頭皮に対する養毛剤の塗布と同時に有効なマッサージを行うことができる。
【０００４】
【特許文献１】特開２００５−２１２７３号公報
【特許文献２】特開平９−２３８７５０号公報
【発明の開示】
【発明が解決しようとする課題】
【０００５】
髪の毛を染色する際に、染色の進行に伴って髪の毛が湿気を帯び、櫛の裁きがし難くなるという問題がある。
【０００６】
特許文献１に記載された技術では、使い勝手の良い櫛付きキャップを構成することができるものの、上記問題を解決することはできない。
【０００７】
特許文献２に記載された技術は、アクチュエータを頭皮に押圧させてマッサージするものであり、髪の毛の染色に利用することはできず、上記問題を解決することはできない。
【０００８】
本発明の目的は、髪の毛に対する染毛を円滑に進めることができる染毛器具を提供することにある。
【課題を解決するための手段】
【０００９】
上記課題を解決するために本発明に係る染毛器具は、可撓性を有し染毛料を収容した容器部と、前記容器部に収容された染毛料を注出して髪の毛に塗布する塗布部と、前記塗布部を振動させる振動発生部材を収容した振動部と、を有し、前記塗布部と振動部が一体的に形成されると共に容器部に対し装着し得るように構成されているものである。
【００１０】
上記染毛器具に於いて、振動発生部材が、電池と、モーターと、モーター軸に取り付けた偏心部材と、モーターに対する通電を制御するスイッチと、を有して構成されたものであることが好ましい。
【００１１】
また上記染毛器具に於いて、塗布部と振動部が一体的に形成されると共にねじ部が形成され、且つ容器部が前記ねじ部に締結されるねじを形成したレフィル容器として形成されていることが好ましい。
【発明の効果】
【００１２】
本発明に係る染毛器具では、容器部を変形させることで塗布部から染毛料を注出することができ、振動発生部材を駆動することで塗布部に振動を作用させることができる。このため、容器部から染毛料を注出しつつ、塗布部から染毛料を注出することで髪の毛に対して染毛することができる。このとき、塗布部が振動することによって該塗布部の髪の毛に対する付着状態が改善され、髪の毛を円滑に染毛することができる。
【００１３】
また振動発生部材を、電池と、モーターと、モーター軸に取り付けた偏心部材と、モーターに対する通電を制御するスイッチと、によって構成した場合には、スイッチを操作してモーターを駆動すると偏心部材が回転し、これにより、塗布部に振動を作用させることができる。
【００１４】
また、塗布部と振動部を一体的に形成すると共にねじ部を形成し、且つ容器部を前記ねじ部に締結されるねじを形成したレフィル容器として形成することで、染毛料を使用仕切った場合でも、塗布部と振動部を繰り返し使用することができる。
【発明を実施するための最良の形態】
【００１５】
以下、本発明に係る染毛器具の最も好ましい形態について説明する。本発明の染毛器具は、振動部に収容した振動発生部材を駆動して塗布部に振動を作用させ、この状態で容器部に収容された染毛料を注出しつつ、髪の毛を染毛し得るようにしたものである。
【００１６】
容器部は、可撓性を有する容器として構成され、染毛料を収容する機能を有する。このため、使用に際し、容器部を把持して力を加えて変形させることで、内容積を減少させて収容された染毛料を塗布部に供給することが可能である。
【００１７】
容器部の寸法や形状は特に限定するものではなく、上記機能を発揮し得る寸法と形状であれば良い。特に、染毛料を塗布部に供給するために変形させる必要があることから、人の手で把持し易い形状であることが好ましく、この形状を保持した上で所定回数（１回又は複数回）の使用を満足し得る量の染毛料を収容し得る容量を有することが好ましい。
【００１８】
容器部は塗布部を構成する部材に対して装着されていれば収容された染毛料を塗布部に供給することが可能である。即ち、容器部が塗布部を構成する部材に対し、着脱可能に構成されているか、或いは一体的に構成されているか、を問うものではない。しかし、容器部が塗布部を構成する部材に対し着脱可能に構成された場合には、不使用時に容器部を単独で保管することが可能であり、また容器部に収容された染毛料を使い切ったとき、該容器部を廃棄して染毛料を収容した新たな容器部と交換することが可能となる。即ち、容器部をレフィル容器として塗布部を繰り返し利用することが可能となるため好ましい。
【００１９】
容器部と塗布部を構成する部材とを着脱可能とする場合であっても、着脱機構は特に限定するものではなく、バヨネット機構やねじ機構等を選択的に採用することが可能である。しかし、着脱作業が容易であること、容器部と塗布部を構成する部材との接続部位からの漏れがないこと、製造が容易であること、等を考慮したとき、ねじ機構であることが好ましい。
【００２０】
塗布部は、染毛料を注出して髪の毛に塗布する機能を有するものであり、この機能を発揮し得る形状であれば良く、特に、櫛状に形成されていると好ましい。この場合、染毛料を注出するための孔の位置を限定するものではなく、櫛歯と櫛歯の間、櫛歯の側面等に対し選択的に形成することが可能である。
【００２１】
塗布部が複数の櫛歯によって構成されている場合、個々の櫛歯は適度な剛性を有することが好ましい。しかし、塗布部が染毛料を注出し得るように構成されることから、該塗布部には染毛料を注出するための通路が形成されるため、合成樹脂による成型品であることが好ましい。櫛歯の剛性については特に限定するものではなく、使用する合成樹脂の材料によって設定される剛性であることが好ましい。
【００２２】
振動発生部材は、振動部に収容され自身が振動してこの振動を塗布部に作用させるものであり、この機能を有するものであれば利用することが可能である。振動発生部材は、振動部に収容されるため、該収容部の寸法や容積の大きさとの関係で最適なものを選択することが好ましい。
【００２３】
このような振動部に収容されて振動を発生する振動発生部材としては、マグネットを利用したもの、モーターを利用したもの等があり、何れも利用することが可能である。特に、寸法的及びコスト的な観点からは、電池と、モーター、モーター軸に取り付けた偏心部材と、モーターに対する通電を制御するスイッチと、によって構成したものであることが好ましい。
【００２４】
上記の如き構成を持った振動発生部材では、モーターを駆動して偏心部材を回転させることで振動を発生させ、この振動によって塗布部に振動を作用させることが可能である。
【実施例１】
【００２５】
次に染毛器具の実施例について図を用いて説明する。図１は染毛器具の外観形状を説明する斜視図である。図２は染毛器具の構成を説明する断面図である。図３は振動部に収容された振動発生部材を説明する部分断面図である。本実施例に於いて、染毛器具は、容器部Ａと、塗布部Ｂと、振動発生部材Ｄを収容した振動部Ｃと、によって構成されている。
【００２６】
容器部Ａは瓶（ボトル）状のレフィル容器として構成されており、ポリエチレン（ＰＥ）を用いてブロー成型されている。容器本体１の上端部分には容器本体１の太さよりも細い口部２が形成されており、該口部２の外周面に雄ねじ３が形成されている。
【００２７】
前述したように、容器本体１の形状は限定するものではないが、人が手で容易に把持し得るような形状を有している。また容器本体１の長さも、大人が把持したときに充分な安定性を保持し得る程度の寸法を有している。そして容器本体１がＰＥによって成形されているため、充分な可撓性を発揮することが可能である。
【００２８】
口部２の太さや雄ねじ３のピッチやねじ山数等の条件は限定するものではなく、塗布部Ｂ、収容部Ｃをねじ結合により装着したときに、充分な安定性を発揮し得るような太さを持った口部２と雄ねじ３として構成されることが好ましい。特に、本実施例の染毛器具では、振動発生部材Ｄを駆動したときに塗布部Ｂが、容器本体１と口部２との境界を起点として振動を生じるように、雄ねじ３を口部２の上端側に形成している。
【００２９】
塗布部Ｂは振動部Ｃと一体的に形成されており、容器部Ａを構成する容器本体１の口部２にねじ結合により着脱可能なキャップとしての機能を有するキャップ部材１０として形成されており、ポリプロピレン（ＰＰ）を用いて射出成形されて収容部Ｃを一体的に形成している。
【００３０】
即ち、キャップ部材１０の下端部分には容器本体１の口部２を嵌合する凹部４が形成されており、この凹部４の内周面に口部２に形成された雄ねじ３と螺合する雌ねじ５が形成されている。また凹部４の底面４ａにはパッキン６が設けられており、キャップ部材１０を容器本体１に結合させたとき、パッキン６を介して底部４ａが口部２の先端部分と当接して染毛料の漏れを防ぐように構成されている。
【００３１】
キャップ部材１０に形成された凹部４の反対側に塗布部Ｂが形成されている。この塗布部Ｂは、複数の櫛歯１１ａと、隣接する櫛歯１１ａの間に開口する通路１１ｂと、を有して構成されており、通路１１ｂの凹部４側の端部には、容器本体１の底面まで届く長さを持ったチューブ１２が接続されている。
【００３２】
振動部Ｃは雌ねじ５と対応する位置に形成されており、収容すべき振動発生部材Ｄの形状に応じた形状を有している。そして、振動発生部材Ｄによって発生した振動が互いに螺合している雌ねじ５から雄ねじ３を介して伝わり、容器本体１の口部２を起点として櫛歯１１を振動させるように構成されている。
【００３３】
振動発生部材Ｄは、電池１５と、モーター１６と、モーター軸１６ａに取り付けた偏心部材１７と、モーター１６に対する通電を制御するスイッチ１８と、を有して構成されている。電池１５のプラス側及びマイナス側から夫々リード１９ａ、１９ｂが引き出されており、これらのリード１９ａ、１９ｂがモーター１６に接続されている。
【００３４】
スイッチ１８としては通電をオンーオフし得る機構であれば良く、その構造を問うものではない。本実施例では、リード１９ａの端部を折り曲げてスイッチ片１８ａとし、キャップ部材１０の振動部Ｃに対応する部分をねじを有する操作部材１８ｂとして形成しておき、この操作部材１８ｂを回転させることでスイッチ片１８ａを電池１５に圧接させて通電させるように構成している。
【００３５】
上記の如く構成された染毛器具では、操作部材１８ｂを回転させてスイッチ片１９ａを電池１５に接続することでモーター１６を駆動して偏心部材１７を回転させることで、該偏心部材１７の回転に応じた振動を発生させることが可能である。この結果、容器部Ａの容器本体１と口部２との境界（染毛器具に於ける最も剛性の小さい部位）を起点として振動が生じ、キャップ部材１０が振動する。従って、塗布部Ｂが振動することになる。
【００３６】
このとき、容器本体１がＰＥを原料とし、キャップ部材１０がＰＰを原料として成型されているため、容器本体１の口部２が最も剛性が小さい部位となり、良好な振動を発生することが可能である。
【００３７】
塗布部Ｂを振動させた状態で、容器本体１を把持して力を加えて変形させると、収容された染毛料はチューブ１２からキャップ部材１０に形成された通路１１ｂを経て櫛歯１１の間から注出される。従って、この状態で髪の毛を梳くことで染毛することが可能となる。
【００３８】
髪の毛に対する染毛が終了したとき、操作部材１８ｂを回転させてスイッチ片１８ａの電池１５に対する圧接状態を解除すると、モーター１６に対する通電が遮断されて偏心部材１７の回転が停止する。これにより、塗布部Ｂの振動が停止する。
【００３９】
更に、容器本体１を回転させてキャップ部材１０との接続を解除することで、両者を離脱させることが可能であり、このように離脱させた状態で、染毛料を収容した容器本体１の保存や、キャップ部材１０の洗浄を行うことが可能である。
【産業上の利用可能性】
【００４０】
本発明に係る染毛器具は、容器部Ｂをレフィル容器とすることで、塗布部Ｂ及び振動部Ｃを繰り返し使用することが可能であり、家庭用の染毛器具として好ましく利用することが可能である。
【図面の簡単な説明】
【００４１】
【図１】染毛器具の外観形状を説明する斜視図である。
【図２】染毛器具の構成を説明する断面図である。
【図３】振動部に収容された振動発生部材を説明する部分断面図である。
【符号の説明】
【００４２】
Ａ                      容器部
Ｂ                      塗布部
Ｃ                      振動部
Ｄ                      振動発生部材
１                      容器本体
２                      口部
３                      雄ねじ
４                      凹部
４ａ                    底面
５                      雌ねじ
６                      パッキン
１０                    キャップ部材
１１ａ                  櫛歯
１１ｂ                  通路
１２                    チューブ
１５                    電池
１６                    モーター
１６ａ                  モーター軸
１７                    偏心部材
１８                    スイッチ
１８ａ                  スイッチ片
１８ｂ                  操作部材
１９ａ、１９ｂ          リード
【図１】
2008110146.tif 000003
【図２】
2008110146.tif 000004
【図３】
2008110146.tif 000005